(57)【特許請求の範囲】
【請求項１】
貯湯缶体と、該貯湯缶体内の水を加熱するためのバーナと、前記貯湯缶体内の温水を放熱器へ循環させるための循環路と、該循環路の途中に設けられ前記貯湯缶体からの温水を吸い込んで前記放熱器側へ吐出させる循環ポンプと、該循環ポンプの吸い込み側にあって前記貯湯缶体の上部に連通する小タンクと、該小タンクの上部に設けられ小タンク内の圧力が一定以上になると開弁して小タンク内の温水を噴出させる圧力調整弁と、暖房運転時には前記バーナを燃焼させることで貯湯缶体内の温度を設定温度に調節すると共に前記循環ポンプを駆動して前記貯湯缶体内の温水を前記小タンク、循環ポンプを介して放熱器側へ循環させる制御部とを備えた温水暖房装置であって、前記圧力調整弁での温水噴出による異音発生を防止するための前記制御部による制御構成として、暖房運転スイッチがオフされた場合も前記循環ポンプを引き続き一定時間だけポスト駆動させる構成としたことを特徴とする温水暖房装置。
【発明の詳細な説明】
【０００１】
【発明の属する技術分野】
本発明は温水暖房装置に関する。
【０００２】
【従来の技術】
従来、温水を貯湯缶体から端末放熱器に循環させて放熱させる方式の温水暖房装置においては、貯湯缶体内や循環路内のでの圧力変動を適当に吸収するため、循環路の一部に圧抜きのための圧力調整弁が設けられている。
【０００３】
【発明が解決しようとする課題】
ところが上記圧抜きのための圧力調整弁が設けられた従来の温水暖房装置においては、前記圧力調整弁が循環路内で一番圧力の低い循環ポンプの吸い込み側に設けられているため、バーナ燃焼によって貯湯缶体内や循環路内の圧力が上昇している状態にある暖房運転中において暖房運転スイッチがオフされ、循環ポンプが停止されると、それによって循環ポンプの吸い込み側の圧力が一時的に急上昇するため、前記圧力調整弁が開放されて温水が圧力調整弁を介して噴出し、その際の噴出音が異音となって騒音の原因となる問題があった。
【０００４】
そこで本発明は、上記従来の欠点を解消し、暖房運転スイッチをオフした時に圧抜き用の圧力調整弁の位置において騒音の原因となる異音が発生しない温水暖房装置の提供を課題とする。
【０００５】
【課題を解決するための手段】
上記目的を達成するため、本発明の温水暖房装置は、貯湯缶体と、該貯湯缶体内の水を加熱するためのバーナと、前記貯湯缶体内の温水を放熱器へ循環させるための循環路と、該循環路の途中に設けられ前記貯湯缶体からの温水を吸い込んで前記放熱器側へ吐出させる循環ポンプと、該循環ポンプの吸い込み側にあって前記貯湯缶体の上部に連通する小タンクと、該小タンクの上部に設けられ小タンク内の圧力が一定以上になると開弁して小タンク内の温水を噴出させる圧力調整弁と、暖房運転時には前記バーナを燃焼させることで貯湯缶体内の温度を設定温度に調節すると共に前記循環ポンプを駆動して前記貯湯缶体内の温水を前記小タンク、循環ポンプを介して放熱器側へ循環させる制御部とを備えた温水暖房装置であって、前記圧力調整弁での温水噴出による異音発生を防止するための前記制御部による制御構成として、暖房運転スイッチがオフされた場合も前記循環ポンプを引き続き一定時間だけポスト駆動させる構成としたことを特徴としている。
【０００６】
上記本発明の特徴において、循環ポンプをポスト駆動させる一定時間は、バーナの運転停止により、貯湯缶体の加熱が停止せられ、これによって貯湯缶体内の圧力が低下し、これによって小タンク内の圧力が、例え循環ポンプの停止による圧力上昇が加わっても、温水が圧力調整弁に抗して噴出するような圧力にならない程度の圧力まで低下するのに要する時間ということになるが、この一定時間は暖房装置の規模等に応じて予め実験により決めておくことができる。
暖房運転スイッチがオフされると、制御部によってバーナはその運転を停止せられる。一方、循環ポンプは引き続き一定時間の駆動を継続せられる。この間に貯湯缶体内の圧力が加熱停止によって次第に低下し、これに伴って小タンクの圧力も低下する。よって循環ポンプのポスト駆動が終了する時点では小タンク内の圧力も低下しており、例え循環ポンプが駆動停止することで循環ポンプの吸い込み側の圧力が上昇しても、小タンク内の圧力はそんなに増大せず、圧力調整弁からの温水等の噴出が生じない。即ち暖房運転の停止に伴う異音の発生がなく、騒音が予防される。
【０００７】
【発明の実施の形態】
以下に本発明の実施の形態を説明する。
図１は本発明の実施の形態を示す反密閉型の温水暖房装置の概略構成図、図２は圧力調整弁の詳細図、図３は制御部による騒音防止のための制御機構を示すフローチャートである。
【０００８】
図１において、１０は貯湯缶体で、該貯湯缶体１０内に入れられた水は、例えば石油バーナ等のバーナ１１によってオンオフ加熱されることで、設定された温度に保持される。貯湯缶体１０内に貯められた温水は循環ポンプ２０によって循環路３０を放熱器４０に循環され、放熱される。
前記循環ポンプ２０の吸い込み側に小タンク５０が設けられている。該小タンク５０は貯湯缶体１０の上部に連通している。小タンク５０の上部に圧力開放用の圧力調整弁６０が設けられている。圧力調整弁６０は小タンク５０内の圧力が一定以上の高圧になると、開弁し、小タンク５０内の温水を圧力調整弁６０から噴出させてサブタンク７０に導くと共に、蒸気等を開放する。圧力変動はバーナ１１によって貯湯缶体１０が加熱と冷却を繰り返されること等によって生じる。
８０は制御部で、図示しないリモコンからの指令により、また図示しない温度センサやその他のセンサからの情報を受けて、所定のプログラムに従って演算、判定して、装置の各部に所定の動作指令を行う。
【０００９】
前記圧力開放用の圧力調整弁６０は図２に示すように、小タンク５０の天井部に連通筒５１を介して底部が連通する蓋付容器６１とその蓋付容器６１の中にバネ６２付勢された弁体６３とからなる。また前記蓋付容器６１の側壁に前記サブタンク７０に接続する接続管６４が設けられている。小タンク５０内の圧力が上昇すると、該小タンク５０内の温水が連通管５１を上昇し、バネ６２に抗して弁体６３を押し開いて蓋付容器６１内に噴出し、接続管６４を通ってサブタンク７０に収容される。そして温水が前記弁体６３の隙間から蓋付容器６１内に噴出する際に、異音が発生したりする。蓋付容器６１は蓋を外すことで、減少した温水量を補充したりすることができる。
【００１０】
図３のフローチャートに沿って、制御部８０による騒音防止のための制御機構を説明する。
今、図示しないリモコンにより暖房運転スイッチがオンされると（Ｓ１でイエス）、制御部８０は循環ポンプ２０の駆動を開始し、またバーナ１１の運転を開始する（Ｓ２）。これによって貯湯缶体１０内の温水が小タンク５０を介して循環ポンプ２０内に吸い込まれ、吐出されて、循環路３０を放熱器４０に循環する。一方、バーナ１１は燃焼と燃焼停止を繰り返して、貯湯缶体１０内の温水温度を設定温度に調節する。
そして暖房運転中、暖房運転スイッチがオフされると（Ｓ３でイエス）、制御部８０はバーナ１１の運転を停止する（Ｓ４）。その一方、循環ポンプ２０の駆動は引き続き継続させる。そして運転スイッチオフから一定時間が経過すると（Ｓ５でイエス）、その時点で制御部８０は循環ポンプ２０の駆動を停止する（Ｓ６）。これにより循環ポンプ２０のポスト駆動が終了し、全暖房運転が終了する。
前記において、循環ポンプ２０をポスト駆動させる一定時間は、例えば１分間とすることができるが、これに限定されるものではない。例えば、暖房装置の規模等に応じて、数十秒から数分の範囲で適当な時間を予め実験で決めておくことができる。
【００１１】
【発明の効果】
本発明は以上の構成よりなり、請求項１に記載の温水暖房装置によれば、暖房運転時にはバーナを燃焼させることで貯湯缶体内の温水を設定温度に調節する共に循環ポンプを駆動して前記貯湯缶体内の温水を小タンク、循環ポンプを介して放熱器側へ循環させる制御部とを備えた温水暖房装置であって、前記制御部の制御構成として、暖房運転スイッチがオフされた場合も前記循環ポンプを引き続き一定時間だけポスト駆動させる構成としたので、暖房運転を停止した際に小タンク内が高圧になるのを防止することができ、よって温水が圧力調整弁に抗して噴出するのを予防することができ、暖房運転停止の際の異音の発生や騒音の発生を防止することができる。
【図面の簡単な説明】
【図１】本発明の実施の形態を示す反密閉型の温水暖房装置の概略構成図である。
【図２】圧力調整弁の詳細図である。
【図３】制御部による騒音防止のための制御機構を示すフローチャートである。
【符号の説明】
１０  貯湯槽
１１  バーナ
２０  循環ポンプ
３０  循環路
４０  放熱器
５０  小タンク
６０  圧力調整弁
８０  制御部
【図１】
0003620115.tif 000002
【図２】
0003620115.tif 000003
【図３】
0003620115.tif 000004